(57)【要約】【課題】光ケーブルを目視により確認し、所定の光ケーブルを検出することができる光トランシーバモジュール、光ケーブル検出方法及び光ケーブル検出プログラムを提供する。【解決手段】一実施の形態によれば、光トランシーバモジュールは、第１のネットワーク機器３１から送信された送信データを光信号に変換し、変換した光信号を、光ケーブルを介して第２のネットワーク機器３２へ送出する光信号送出部１１と、第１のネットワーク機器３１から送信された制御信号であって、光信号の送出または不送出を制御する制御信号Ｔｘ＿ＤＩＳＡＢＬＥにおいて、光信号の送出を受信した場合に、光信号を目視可能な所定の間隔でオン・オフして送出するように、光信号送出部１１を制御する光出力制御部１３と、を備える。【選択図】図１
2020136877.tif 000002
【特許請求の範囲】
【請求項１】
第１のネットワーク機器から送信された送信データを光信号に変換し、変換した前記光信号を、光ケーブルを介して第２のネットワーク機器へ送出する光信号送出部と、
前記第１のネットワーク機器から送信された制御信号であって、前記光信号の送出または不送出を制御する制御信号において、前記光信号の送出を受信した場合に、前記光信号を目視可能な所定の間隔でオン・オフして送出するように、前記光信号送出部を制御する光出力制御部と、
を備えた光トランシーバモジュール。
【請求項２】
前記第２のネットワーク機器から受信された光信号を受信データに変換して前記第１のネットワーク機器へ送信するとともに、前記第２のネットワーク機器からの光信号の受信の有無を示す受信有無信号を前記第１のネットワーク機器及び前記光出力制御部へ送信する光信号受信部をさらに備え、
前記光出力制御部は、前記光信号の受信有りを示す前記受信有無信号を受信した場合に、前記光信号のオン・オフを停止させて前記光信号を送出するように、前記光信号送出部を制御する、
請求項１に記載の光トランシーバモジュール。
【請求項３】
前記光信号を含む光出力を目視することができる波長変換機能付きキャップを前記光ケーブルに取り付け可能である、
請求項１または２に記載の光トランシーバモジュール。
【請求項４】
前記光出力制御部は、前記光トランシーバモジュールの固有情報を記憶した固有情報記憶部を有し、
前記光出力制御部は、前記固有情報記憶部に記憶させた前記固有情報を固有情報信号に符号化し、符号化した前記固有情報信号を前記光信号とともに前記光信号送出部から送出させる、
請求項３に記載の光トランシーバモジュール。
【請求項５】
前記光信号とともに送出された前記固有情報信号は、携帯端末のカメラ機能によって受信し、復号化可能である、
請求項４に記載の光トランシーバモジュール。
【請求項６】
第１のネットワーク機器から送信された送信データを光信号に変換し、変換した前記光信号を、光ケーブルを介して第２のネットワーク機器へ送出する光信号送出部に対して、前記第１のネットワーク機器から送信された制御信号であって、前記光信号の送出または不送出を制御する制御信号において、前記光信号の送出が送信された場合に、前記光信号を目視可能な所定の間隔でオン・オフして送出するように、前記光信号送出部を制御するステップと、
目視可能な所定の周期でオン・オフする前記光信号より前記光ケーブルを検出するステップと、
を備えた光ケーブル検出方法。
【請求項７】
前記第２のネットワーク機器から受信された光信号を受信データに変換して前記第１のネットワーク機器へ送信するとともに、前記第２のネットワーク機器からの光信号の受信の有無を示す受信有無信号を前記第１のネットワーク機器へ送信する光信号受信部から、前記光信号の受信有りを示す前記受信有無信号が送信された場合に、前記光信号のオン・オフを停止させて前記光信号を送出するステップをさらに備えた、
請求項６に記載の光ケーブル検出方法。
【請求項８】
第１のネットワーク機器から送信された送信データを光信号に変換し、変換した前記光信号を、光ケーブルを介して第２のネットワーク機器へ送出する光信号送出部に対して、前記第１のネットワーク機器から送信された制御信号であって、前記光信号の送出または不送出を制御する制御信号において、前記光信号の送出が送信された場合に、前記光信号を目視可能な所定の間隔でオン・オフして送出するように、前記光信号送出部を制御させ、
目視可能な所定の周期でオン・オフする前記光信号より前記光ケーブルを検出させる、
ことをコンピュータに実行させる光ケーブル検出プログラム。
【請求項９】
前記第２のネットワーク機器から受信された光信号を受信データに変換して前記第１のネットワーク機器へ送信するとともに、前記第２のネットワーク機器からの光信号の受信の有無を示す受信有無信号を前記第１のネットワーク機器へ送信する光信号受信部から、前記光信号の受信有りを示す前記受信有無信号が送信された場合に、前記光信号のオン・オフを停止させて前記光信号を送出させる、
ことをさらにコンピュータに実行させる請求項８に記載の光ケーブル検出プログラム。
【発明の詳細な説明】
【技術分野】
【０００１】
本発明は、光トランシーバモジュール、光ケーブル検出方法及び光ケーブル検出プログラムに関し、例えば、波長変換機能付きキャップを利用した光トランシーバモジュール、光ケーブル検出方法及び光ケーブル検出プログラムに関する。
【背景技術】
【０００２】
イーサネット（登録商標）などに使用される光トランシーバモジュールのうち、波長が７６０ｎｍ〜８３０ｎｍを超える不可視光線を使用しているものは、光トランシーバモジュールから光出力がされているのか目視により確認することは困難である。また、光トランシーバモジュールの種類によっては、光出力が強力なため直視すると目に障害を起こす可能性もあり、直接目視することは危険である。
【０００３】
特許文献１には、光コネクタ用キャップに波長変換部材を具備することにより可視光に変換して目視できるようにすることが記載されている。
【先行技術文献】
【特許文献】
【０００４】
【特許文献１】特開２００３−１３１０７１号公報
【特許文献２】特開２０１７−０６８１５４号公報
【特許文献３】特開２００９−１５６９２３号公報
【発明の概要】
【発明が解決しようとする課題】
【０００５】
データセンターなど光トランシーバモジュールに接続された光ケーブルが多数敷設されている場所では、波長変換部により目視が可能となっても、多数の光ケーブルが同時に可視化状態にある場合などは、所定の光ケーブルを検出することは困難である。また、所定の光ケーブルが接続されているネットワーク機器のポートの光出力を手動でＯＮ／ＯＦＦすることにより、所定の光ケーブルを検出することは可能であるが、機器の操作と目視のタイミングとを合わせる必要があり、検出までに時間がかかるという課題がある。
【０００６】
本開示の目的は、上述した課題を鑑み、光ケーブルを目視により確認し、所定の光ケーブルを検出することができる光トランシーバモジュール、光ケーブル検出方法及び光ケーブル検出プログラムを提供することにある。
【課題を解決するための手段】
【０００７】
一実施の形態に係る光トランシーバモジュールは、第１のネットワーク機器から送信された送信データを光信号に変換し、変換した前記光信号を、光ケーブルを介して第２のネットワーク機器へ送出する光信号送出部と、前記第１のネットワーク機器から送信された制御信号であって、前記光信号の送出または不送出を制御する制御信号において、前記光信号の送出を受信した場合に、前記光信号を目視可能な所定の間隔でオン・オフして送出するように、前記光信号送出部を制御する光出力制御部と、を備える。
【発明の効果】
【０００８】
一実施の形態によれば、光ケーブルを目視により確認し、所定の光ケーブルを検出することができる光トランシーバモジュール、光ケーブル検出方法及び光ケーブル検出プログラムを提供することができる。
【図面の簡単な説明】
【０００９】
【図１】実施形態１に係る光トランシーバモジュールの概要を例示した構成図である。
【図２】実施形態１に係る光トランシーバモジュールを例示した構成図である。
【図３】比較例に係る光トランシーバモジュールを例示した構成図である。
【図４】実施形態１に係る光トランシーバモジュールにおいて、制御信号Ｔｘ＿ＤＩＳＡＢＬＥ、制御信号Ｔｘ＿ＤＩＳＡＢＬＥ１及び受信有無信号Ｒｘ＿ＬＯＳを例示した図である。
【図５】実施形態２に係る光トランシーバモジュールを例示した構成図である。
【発明を実施するための形態】
【００１０】
（実施形態１）
実施形態１に係る光トランシーバモジュールを説明する。図１は、実施形態１に係る光トランシーバモジュールの概要を例示した構成図である。図２は、実施形態１に係る光トランシーバモジュールを例示した構成図である。
【００１１】
まず、本実施形態の光トランシーバモジュールの概要を説明する。図１に示すように、光トランシーバモジュール１は、光信号送出部１１及び光出力制御部１３を備えている。光信号送出部１１は、ネットワーク機器３１から送信された送信データを光信号に変換し、変換した光信号を、光ケーブルを介してネットワーク機器３２へ送出する。光出力制御部１３は、ネットワーク機器３１から送信された制御信号であって、光信号の送出または不送出を制御する制御信号において、光信号の送出を受信した場合に、光信号を目視可能な所定の間隔でオン・オフして送出するように、光信号送出部１１を制御する。以下で、光トランシーバモジュール１の詳細を説明する。
【００１２】
図２に示すように、光トランシーバモジュール１は、光信号送出部１１、光出力制御部１３の他、光信号受信部１２を備えている。光トランシーバモジュール１は、ネットワーク機器３１及びネットワーク機器３２に実装されている。具体的には、光トランシーバモジュール１は、ネットワーク機器３１及びネットワーク機器３２の間に接続され、ネットワーク機器３１における電気信号とネットワーク機器３２における光信号を相互に変換する。
【００１３】
光信号送出部１１は、ネットワーク機器３１と接続されている。また、光信号送出部１１は、光ケーブルを介して、ネットワーク機器３２と接続されている。光信号送出部１１は、ネットワーク機器３１から送信された送信データを受信する。光信号送出部１１は、受信した送信データを光信号に変換する。そして、光信号送出部１１は、変換した光信号を、光ケーブルを介して、ネットワーク機器３２へ送出する。
【００１４】
光出力制御部１３は、ネットワーク機器３１に接続されている。また、光出力制御部１３は、光信号送出部１１と接続されている。光出力制御部１３は、ネットワーク機器３１から送信された制御信号Ｔｘ＿ＤＩＳＡＢＬＥを受信する。制御信号Ｔｘ＿ＤＩＳＡＢＬＥは、光トランシーバモジュール１からの光信号の送出または不送出を制御する信号である。例えば、ネットワーク機器３１とネットワーク機器３２とを接続する場合には、光出力制御部１３は、無効とされた制御信号Ｔｘ＿ＤＩＳＡＢＬＥを受信する。ネットワーク機器３１とネットワーク機器３２とを切断する場合には、光出力制御部１３は、有効とされた制御信号Ｔｘ＿ＤＩＳＡＢＬＥを受信する。
【００１５】
光出力制御部１３は、光信号を送出する制御信号を受信した場合に、光信号を目視可能な所定の間隔でオン・オフして送出するように、光信号送出部１１を制御する。例えば、光出力制御部１３は、制御信号Ｔｘ＿ＤＩＳＡＢＬＥを加工した制御信号Ｔｘ＿ＤＩＳＡＢＬＥ１を光信号送出部１１に出力する。これにより、光出力制御部１３は、光信号送出部１１に、光信号を目視可能な所定の間隔でオン・オフして送出させる。
【００１６】
光信号受信部１２は、光ケーブルを介して、ネットワーク機器３２と接続されている。また、光信号受信部１２は、ネットワーク機器３１と接続されている。光信号受信部１２は、光ケーブルを介して、ネットワーク機器３２から光信号を受信する。光信号受信部１２は、ネットワーク機器３２から受信した光信号を受信データに変換する。そして、光信号受信部１２は、変換した受信データを、ネットワーク機器３１へ送信する。
【００１７】
また、光信号受信部１２は、受信有無信号Ｒｘ＿ＬＯＳをネットワーク機器３１へ送信する。受信有無信号Ｒｘ＿ＬＯＳは、光信号受信部１２が対向するネットワーク機器３２からの光信号の受信の有無を示す信号である。有効な光信号を受信している場合は、光信号受信部１２は、受信有無信号Ｒｘ＿ＬＯＳを無効とする。一方、有効な光信号を受信していない場合は、光信号受信部１２は、受信有無信号Ｒｘ＿ＬＯＳを有効とする。
【００１８】
光信号受信部１２は、光出力制御部１３と接続されている。光信号受信部１２は、受信有無信号Ｒｘ＿ＬＯＳを光出力制御部１３にも送信する。光出力制御部１３は、光信号の受信有りを示す受信有無信号Ｒｘ＿ＬＯＳを受信した場合に、光信号のオン・オフを停止させて光信号を送出するように、光信号送出部１１を制御する。具体的には、光出力制御部１３は、光信号の受信有りを示す受信有無信号Ｒｘ＿ＬＯＳを受信した場合に、光信号送出部１１に、光信号のオン・オフを停止させて光信号を送出させる。
【００１９】
次に、本実施形態の光トランシーバモジュール１の動作を説明する。本実施形態の光トランシーバモジュール１の動作を、比較例の光トランシーバモジュール２の動作と対比させて説明する。図３は、比較例に係る光トランシーバモジュール２を例示した構成図である。
【００２０】
図３に示すように、比較例の光トランシーバモジュール２は、光信号送出部２１、光信号受信部２２を備えている。比較例の光トランシーバモジュール２には、光出力制御部１３に相当するものは、設けられていない。光トランシーバモジュール２は、ネットワーク機器３１及びネットワーク機器３２の間に接続され、ネットワーク機器３１における電気信号とネットワーク機器３２における光信号を相互に変換する。
【００２１】
光信号送出部２１は、ネットワーク機器３１と接続されている。また、光信号送出部２１は、光ケーブルを介して、ネットワーク機器３２と接続されている。光信号送出部２１は、ネットワーク機器３１から送信データを受信し、光信号に変換する。そして、光信号送出部２１は、変換した光信号を、光ケーブルを介して、ネットワーク機器３２へ送出する。また、光信号送出部２１は、ネットワーク機器３１から制御信号Ｔｘ＿ＤＩＳＡＢＬＥを受信する。
【００２２】
光信号受信部２２は、光ケーブルを介して、ネットワーク機器３２と接続されている。また、光信号受信部２２は、ネットワーク機器３１と接続されている。光信号受信部２２は、光ケーブルを介して、ネットワーク機器３２から光信号を受信する。光信号受信部２２は、受信した光信号を受信データに変換する。そして、光信号受信部２２は、変換した受信データを、ネットワーク機器３１へ送信する。また、光信号受信部２２は、受信有無信号Ｒｘ＿ＬＯＳをネットワーク機器３１へ送信する。光トランシーバモジュール２では、制御信号Ｔｘ＿ＤＩＳＡＢＬＥが無効になると光信号送出部２１から光信号を送出する。
【００２３】
比較例における光トランシーバモジュール２では、所定の光ケーブルが接続されているネットワーク機器のポートの光出力を手動でＯＮ／ＯＦＦすることにより、所定の光ケーブルを検出することは可能であるが、機器の操作と目視のタイミングとを合わせる必要があり、検出までに時間がかかる。また、データセンターなど光トランシーバモジュールに接続された光ケーブルが多数敷設されている場所において、多数の光ケーブルが同時に可視化状態にある場合などは、所定の光ケーブルを検出することは困難である。
【００２４】
図４は、実施形態１に係る光トランシーバモジュール１において、制御信号Ｔｘ＿ＤＩＳＡＢＬＥ、制御信号Ｔｘ＿ＤＩＳＡＢＬＥ１及び受信有無信号Ｒｘ＿ＬＯＳを例示した図である。図４に示すように、本実施形態の光トランシーバモジュール１では、光出力制御部１３は、制御信号Ｔｘ＿ＤＩＳＡＢＬＥが無効とされると、時間経過とともに数百ミリ秒から数秒単位でＯＮ／ＯＦＦを変化させた制御信号Ｔｘ＿ＤＩＳＡＢＬＥ１を光信号送出部１１へ送信する。これにより、光信号送出部１１は、光信号を制御信号Ｔｘ＿ＤＩＳＡＢＬＥ１に対応させる。そして、光信号送出部１１は、光信号を、時間経過とともに数百ミリ秒から数秒単位でＯＮ／ＯＦＦさせる。
【００２５】
光信号受信部１２が対向のネットワーク機器３２から光信号を受信すると、ネットワーク機器３１とネットワーク機器３２とは接続された状態となる。その場合には、光信号受信部１２は、受信有無信号Ｒｘ＿ＬＯＳを無効として、光出力制御部１３及びネットワーク機器３１に送信する。光信号受信部１２から無効とされた受信有無信号Ｒｘ＿ＬＯＳを受信した光出力制御部１３は、制御信号Ｔｘ＿ＤＩＳＡＢＬＥを変化させずに光信号送出部１１に送信する。すなわち、光出力制御部１３は、制御信号Ｔｘ＿ＤＩＳＡＢＬＥを制御信号Ｔｘ＿ＤＩＳＡＢＬＥ１に加工せずに、制御信号Ｔｘ＿ＤＩＳＡＢＬＥと同様のものを光信号送出部１１に送信する。よって、光信号送出部１１は、ＯＮ／ＯＦＦを停止させた光信号を送出する。よって、送信データに影響を与えない。
【００２６】
次に、本実施形態の効果を説明する。本実施形態の光トランシーバモジュール１は、光出力制御部１３を備えている。そして、光出力制御部１３は、目視可能な所定の間隔でオン・オフして送出するように、光信号送出部１１を制御する。これにより、光ケーブルに、光信号を含む光出力を目視することができる波長変換機能付きキャップを取り付けた場合に、所定の光ケーブルを目視により検出することができる。
【００２７】
また、光出力制御部１３は、光信号の受信有りを示す受信有無信号Ｒｘ＿ＬＯＳを受信した場合に、光信号のオン・オフを停止させて光信号を送出するように、光信号送出部１１を制御する。よって、対向するネットワーク機器３２からの光入力信号を受信するまでの間だけ、目視可能な所定の間隔でオン・オフして送出する。これにより、送信データに影響を与えないようにすることができる。
【００２８】
（実施形態２）
次に、実施形態２に係る光トランシーバモジュールを説明する。図５は、実施形態２に係る光トランシーバモジュールを例示した構成図である。本実施形態の光トランシーバモジュール１ａにおいて、光出力制御部１３ａは、固有情報記憶部１３１を有している。固有情報記憶部１３１は、光トランシーバモジュール１ａの固有情報を記憶している。固有情報は、例えば、光トランシーバモジュール１ａの製造番号である。光出力制御部１３ａは、固有情報記憶部１３１に記憶された固有情報を、アスキーコード等をもとに２進数に変換し、符号化する。符号化された固有情報を、固有情報信号と呼ぶ。光出力制御部１３ａは、符号化した固有情報信号を光信号とともに光信号送出部１１から送出させる。例えば、光出力制御部１３ａは、制御信号Ｔｘ＿ＤＩＳＡＢＬＥに固有情報信号を含むようにして、光信号送出部１１に送信する。これにより、光信号送出部１１は、固有情報信号を含む光信号を出力する。
【００２９】
光信号とともに送出された固有情報信号は、携帯端末のカメラ機能によって受信し、復号化可能である。例えば、波長変換機能付きキャップを付けた光ケーブルをスマートホンなどのカメラ機能付き端末で受信する。これにより、２進数に変換した固有情報を復号化することができる。そして、所定の光ケーブルを特定することができる。
【００３０】
本実施形態によれば、線芯保護のためのキャップをつけた光ケーブルが多数ある場合でも、携帯端末のカメラで受信することにより、容易に所定の光ケーブルを特定することができる。これ以外の構成、動作及び効果は、実施形態１の記載に含まれている。
【００３１】
なお、本発明は上記実施の形態に限られたものではなく、趣旨を逸脱しない範囲で適宜変更することが可能である。例えば、実施形態１及び２の光ケーブル検出方法を、コンピュータに実行させる以下の光ケーブル検出プログラムも、実施形態１及び２の技術的思想の範囲に含まれる。
【００３２】
すなわち、ネットワーク機器３１から送信された送信データを光信号に変換し、変換した光信号を、光ケーブルを介してネットワーク機器３２へ送出する光信号送出部１１に対して、ネットワーク機器３１から送信された制御信号であって、光信号の送出または不送出を制御する制御信号において、光信号の送出が送信された場合に、光信号を目視可能な所定の間隔でオン・オフして送出するように、光信号送出部１１を制御させ、
目視可能な所定の周期でオン・オフする光信号より光ケーブルを検出させる、
ことをコンピュータに実行させる光ケーブル検出プログラム。
【００３３】
また、ネットワーク機器３２から受信された光信号を受信データに変換してネットワーク機器３１へ送信するとともに、ネットワーク機器３２からの光信号の受信の有無を示す受信有無信号をネットワーク機器３１へ送信する光信号受信部１２から、光信号の受信有りを示す受信有無信号が送信された場合に、光信号のオン・オフを停止させて光信号を送出させる、
ことをさらにコンピュータに実行させる光ケーブル検出プログラム。
【符号の説明】
【００３４】
１、１ａ、２  光トランシーバモジュール
１１、２１  光信号送出部
１２、２２  光信号受信部
１３  光出力制御部
３１、３２  ネットワーク機器
１３１  固有情報記憶部
Ｒｘ＿ＬＯＳ  受信有無信号
Ｔｘ＿ＤＩＳＡＢＬＥ  制御信号
Ｔｘ＿ＤＩＳＡＢＬＥ１  制御信号
【図１】
2020136877.tif 000003
【図２】
2020136877.tif 000004
【図３】
2020136877.tif 000005
【図４】
2020136877.tif 000006
【図５】
2020136877.tif 000007
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
第１のネットワーク機器から送信された送信データを光信号に変換し、変換した前記光信号を、光ケーブルを介して第２のネットワーク機器へ送出する
光信号送出部と、
前記第１のネットワーク機器から送信された制御信号であって、前記光信号の送出または不送出を制御する制御信号において、前記光信号の送出を受信した場合に、前記光信号を目視可能な所定の間隔でオン・オフして送出するように、前記光信号送出部を制御する
光出力制御部と、
前記第２のネットワーク機器から受信された光信号を受信データに変換して前記第１のネットワーク機器へ送信するとともに、前記第２のネットワーク機器からの光信号の受信の有無を示す受信有無信号を前記第１のネットワーク機器及び前記光出力制御部へ送信する光信号受信部とを備え、
前記光出力制御部は、
前記光信号の受信有りを示す前記受信有無信号を受信した場合に前記光信号のオン・オフを停止させて前記光信号を送出するように、前記光信号送出部を制御する、光トランシーバモジュール。
【請求項２】
前記光信号を含む光出力を目視することができる波長変換機能付きキャップを前記光ケーブルに取り付け可能である、
請求項１に記載の光トランシーバモジュール。
【請求項３】
前記光出力制御部は、前記光トランシーバモジュールの固有情報を記憶した固有情報記憶部を有し、
前記光出力制御部は、前記固有情報記憶部に記憶させた前記固有情報を固有情報信号に符号化し、符号化した前記固有情報信号を前記光信号とともに前記光信号送出部から送出させる、
請求項２に記載の光トランシーバモジュール。
【請求項４】
前記光信号とともに送出された前記固有情報信号は、携帯端末のカメラ機能によって受信し、復号化可能である、
請求項３に記載の光トランシーバモジュール。
【請求項５】
第１のネットワーク機器から送信された送信データを光信号に変換し、変換した前記光信号を、光ケーブルを介して第２のネットワーク機器へ送出する光信号送出部と、
前記第１のネットワーク機器から送信された制御信号であって、前記光信号の送出または不送出を制御する制御信号において、前記光信号の送出を受信した場合に、前記光信号を目視可能な所定の間隔でオン・オフして送出するように、前記光信号送出部を制御する光出力制御部と、を備えた光トランシーバモジュールであって、
前記光信号を含む光出力を目視することができる波長変換機能付きキャップを前記光ケーブルに取り付け可能であり、
前記光出力制御部は、前記光トランシーバモジュールの固有情報を記憶した固有情報記憶部を有し、
前記光出力制御部は、前記固有情報記憶部に記憶させた前記固有情報を固有情報信号に符号化し、符号化した前記固有情報信号を前記光信号とともに前記光信号送出部から送出させ、
前記光信号とともに送出された前記固有情報信号は、携帯端末のカメラ機能によって受信し、復号化可能である、
光トランシーバモジュール。
【請求項６】
第１のネットワーク機器から送信された送信データを光信号に変換し、変換した前記光信号を、光ケーブルを介して第２のネットワーク機器へ送出する光信号送出部に対して、前記第１のネットワーク機器から送信された制御信号であって、前記光信号の送出または不送出を制御する制御信号において、前記光信号の送出が送信された場合に、前記光信号を目視可能な所定の間隔でオン・オフして送出するように、前記光信号送出部を制御するステップと、
目視可能な所定の周期でオン・オフする前記光信号より前記光ケーブルを検出するステップと、
前記第２のネットワーク機器から受信された光信号を受信データに変換して前記第１のネットワーク機器へ送信するとともに、前記第２のネットワーク機器からの光信号の受信の有無を示す受信有無信号を前記第１のネットワーク機器へ送信する光信号受信部から、前記光信号の受信有りを示す前記受信有無信号が送信された場合に、前記光信号のオン・オフを停止させて前記光信号を送出するステップと、を備えた、光ケーブル検出方法。
【請求項７】
コンピュータに、請求項６の光ケーブル検出方法を実行させる、光ケーブル検出プログラム。